(57)【要約】【課題】ヒンジ部の全長を短縮すること、閉じる時にのみにクリック発生を行うことにある。【解決手段】オープン式ヒンジ及びプッシュ式ヒンジを対向配置し、オープン式ヒンジは、表示側筐体及び操作側筐体が為す全閉状態から全開状態に亘って開きトルクを発生させる開きトルク発生ステップと、全開状態手前において全開状態時のロック力を発生させる全開ロックステップを備え、プッシュ式ヒンジは、全閉状態時にオープン式ヒンジの動きを規制し全開状態時のロック力を発生させる全閉ロックステップと、押釦操作部の操作により規制を解除しオープン式ヒンジの動きを許容する解除ステップと、全開状態時に至る前に押釦操作部を復帰させ該押釦操作部による規制解除を解除する規制ステップと、表示側筐体の全開状態から全閉状態への戻り時に第一の所定位置にてクリック止めして表示側筐体を保持する止めステップとを備える。【選択図】　　　図１
2004019795.tif 000002
【特許請求の範囲】
【請求項１】
表示側筐体と操作側筐体とをヒンジ部を介して折り畳み自在に連結して成る携帯電話において、
前記ヒンジ部は、オープン式ヒンジと、押釦操作部を備えたプッシュ式ヒンジとを対向配置して構成され、
前記オープン式ヒンジは、前記表示側筐体と前記操作側筐体とが為す全閉状態から全開状態に亘って開きトルクを発生させる開きトルク発生ステップと、前記全開状態手前において全開状態時のロック力を発生させる全開ロックステップとを備え、
前記プッシュ式ヒンジは、前記全閉状態時に前記オープン式ヒンジの動きを規制し全開状態時のロック力を発生させる全閉ロックステップと、前記押釦操作部の操作により前記規制を解除し前記オープン式ヒンジの動きを許容する解除ステップと、前記全開状態時に至る前に前記押釦操作部を復帰させ該押釦操作部による規制解除を解除する規制ステップと、前記表示側筐体の前記全開状態から前記全閉状態への戻り時に第一の所定位置にてクリック止めして前記表示側筐体を保持する止めステップとを備える
ことを特徴とする携帯電話。
【請求項２】
請求項１記載の携帯電話において、
前記オープン式ヒンジは、前記操作側筐体に固定される嵌合部を設けたフランジ部を有するシャフトと、軸方向に沿って設けたこのシャフトを挿入する穴部、軸方向に沿って外周に設けた前記表示側筐体に固定される嵌合部、前記穴部に沿って設けたカム係止部を有するケースと、前記シャフトに取り付けられ前記ケース内に配されるコンプレッションスプリングと、前記開きトルクを発生させる傾斜面から成るカム面を有するとともに前記カム係止部を介して前記ケースに組み付けられるカムと、前記シャフトに取り付けられるとともに前記カム面に当接し前記カムの回転時に該カム面を摺動する摺動ピンとを備えている
ことを特徴とする携帯電話。
【請求項３】
請求項１記載の携帯電話において、
前記プッシュ式ヒンジは、シャフトに対し、シャフトガイド、第一のコンプレッションスプリング、２つの突起部を有する対向カム、前記２つの突起部を当接する摺動面を有するカム、カムホルダー、第二のコンプレッションスプリング、２つのカム係止用爪部を有する押釦キーおよびワッシャーを順に取り付けるとともに、前記シャフトの端部にＥ−リングを取り付けて抜け止めされており、
前記シャフトガイドは、前記表示側筐体に固定される嵌合部を設けたフランジ部と、前記シャフトを挿通する軸穴と、該軸穴の外周に設けられ前記対向カムを前記シャフト方向への移動を許容し、回転方向を規制する対向カム取付部とを有し、
前記対向カムは、前記対向カム取付部を覆う軸穴を有し、
前記カムは、前記対向カムの２つの突起部に当接する２分割された摺動面と、前記シャフトを挿通する軸穴と、この軸穴の外周に設けられ前記押釦キーの非押し込み時に該押釦キーの２つのカム係止用爪部を係止し、前記押釦キーの押し込み時に該押釦キーの２つのカム係止用爪部の係止を解除する押釦キー取付部とを有し、
前記カムホルダーは、前記操作部側筐体に固定される嵌合部を設けたフランジ部と、前記シャフトを挿通する軸穴と、該軸穴の外周に設けられ前記押釦キーの２つのカム係止用爪部を挿通する開口部とを有する
ことを特徴とする携帯電話。
【発明の詳細な説明】
【０００１】
【発明の属する技術分野】
本発明は、表示側筐体と操作側筐体とをヒンジ部を介して折り畳み自在に連結して成る携帯電話に関する。
【０００２】
【従来の技術】
従来、この種の携帯電話としては、例えば、特開２００１−２０７７２１号公報などに開示されるように、表示側筐体と操作側筐体とを１つのヒンジを介して折り畳み自在に連結したものが知られている。
【０００３】
【発明が解決しようとする課題】
しかし、この従来の携帯電話では、１個のヒンジでプッシュ式ヒンジの機能をまかなっているため、ヒンジと反対側のヒンジ部には軸ずれ防止のためのダミーヒンジを設ける必要があり、コストがかかる上にスペースの無駄となっていた。本発明は斯かる従来の問題点を解決するために為されたもので、その目的は、ヒンジ部の全長を短縮すること、および閉じる時にのみにクリック発生を行うことが可能な携帯電話を提供することにある。
【０００４】
【課題を解決するための手段】
請求項１に係る発明は、表示側筐体と操作側筐体とをヒンジ部を介して折り畳み自在に連結して成る携帯電話において、前記ヒンジ部は、オープン式ヒンジと、押釦操作部を備えたプッシュ式ヒンジとを対向配置して構成され、前記オープン式ヒンジは、前記表示側筐体と前記操作側筐体とが為す全閉状態から全開状態に亘って開きトルクを発生させる開きトルク発生ステップと、前記全開状態手前において全開状態時のロック力を発生させる全開ロックステップとを備え、前記プッシュ式ヒンジは、前記全閉状態時に前記オープン式ヒンジの動きを規制し全開状態時のロック力を発生させる全閉ロックステップと、前記押釦操作部の操作により前記規制を解除し前記オープン式ヒンジの動きを許容する解除ステップと、前記全開状態時に至る前に前記押釦操作部を復帰させ該押釦操作部による規制解除を解除する規制ステップと、前記表示側筐体の前記全開状態から前記全閉状態への戻り時に第一の所定位置にてクリック止めして前記表示側筐体を保持する止めステップとを備えることを特徴とする。
【０００５】
請求項２に係る発明は、請求項１記載の携帯電話において、前記オープン式ヒンジは、前記操作側筐体に固定される嵌合部を設けたフランジ部を有するシャフトと、軸方向に沿って設けたこのシャフトを挿入する穴部、軸方向に沿って外周に設けた前記表示側筐体に固定される嵌合部、前記穴部に沿って設けたカム係止部を有するケースと、前記シャフトに取り付けられ前記ケース内に配されるコンプレッションスプリングと、前記開きトルクを発生させる傾斜面から成るカム面を有するとともに前記カム係止部を介して前記ケースに組み付けられるカムと、前記シャフトに取り付けられるとともに前記カム面に当接し前記カムの回転時に該カム面を摺動する摺動ピンとを備えていることを特徴とする。
【０００６】
請求項３に係る発明は、請求項１記載の携帯電話において、前記プッシュ式ヒンジは、シャフトに対し、シャフトガイド、第一のコンプレッションスプリング、２つの突起部を有する対向カム、前記２つの突起部を当接する摺動面を有するカム、カムホルダー、第二のコンプレッションスプリング、２つのカム係止用爪部を有する押釦キーおよびワッシャーを順に取り付けるとともに、前記シャフトの端部にＥ−リングを取り付けて抜け止めされており、前記シャフトガイドは、前記表示側筐体に固定される嵌合部を設けたフランジ部と、前記シャフトを挿通する軸穴と、該軸穴の外周に設けられ前記対向カムを前記シャフト方向への移動を許容し、回転方向を規制する対向カム取付部とを有し、前記対向カムは、前記対向カム取付部を覆う軸穴を有し、前記カムは、前記対向カムの２つの突起部に当接する２分割された摺動面と、前記シャフトを挿通する軸穴と、この軸穴の外周に設けられ前記押釦キーの非押し込み時に該押釦キーの２つのカム係止用爪部を係止し、前記押釦キーの押し込み時に該押釦キーの２つのカム係止用爪部の係止を解除する押釦キー取付部とを有し、前記カムホルダーは、前記操作部側筐体に固定される嵌合部を設けたフランジ部と、前記シャフトを挿通する軸穴と、該軸穴の外周に設けられ前記押釦キーの２つのカム係止用爪部を挿通する開口部とを有することを特徴とする。
【０００７】
【発明の実施の形態】
以下、本発明を図面に示す実施形態に基づいて説明する。
図１および図２は、本実施形態に係る携帯電話１を示す。
本実施形態に係る携帯電話１は、表示側筐体３と操作側筐体５とが、それぞれの連結部３ａ，３ｂと５ａ，５ｂにおいて、同軸線上にオープン式ヒンジ１０とプッシュ式ヒンジ３０とを対向して配置することによって折り畳み自在に連結されている。
【０００８】
本実施形態に係る携帯電話１において、表示側筐体３は、０度の全閉状態ＯＨＣから１６０度の全開状態ＯＨＡまで開き、戻り時に１３０度の第一の所定位置ＯＨＢでクリック止めされるように構成されている。
オープン式ヒンジ１０は、図３〜図６に示されるように、シャフト１１に、ケース１５、コンプレッションスプリング１９、カム２０および摺動ピン２５を組み付けることによって構成されている。
【０００９】
シャフト１１は、操作側筐体５の連結部５ａに設けた係合部に固定される嵌合溝１２ａ，１２ａを対向して設けたフランジ１２を有する。軸部１１ａには、摺動ピン２５を取り付ける軸穴１３が貫通している。また、軸部１１ａの先端部には、Ｅ−リング６を取り付ける環状溝１４が設けてある。Ｅ−リング６はシャフト１１が表示部側筐体３の連結部３ａから抜け落ちないように設けられている。
【００１０】
ケース１５は、有底状の筒状体から成り、底部側にはオープン式ヒンジ１０の軸方向に沿って設けたシャフト１１を挿入する穴部１６が設けてある。側壁には、オープン式ヒンジ１０の軸方向に沿って外周に設けた表示側筐体３の連結部３ａに設けた係合部に固定される嵌合溝１５ａ，１５ａが対向して設けてある。底部側と対向する開口側の内壁面には、穴部１６に沿って凹溝から成るカム係止部１７，１７が直径方向に対向して設けてある。また、嵌合溝１５ａ，１５ａの先端側には、切り欠き部１８，１８が直径方向に対向して設けてある。切り欠き部１８，１８は、摺動ピン２５をシャフト１１に組み込むためカム係止部１７，１７に対して９０度ずらして設けてある。
【００１１】
カム２０は、コンプレッションスプリング１９側が平坦な面から成る穴部２０ａを有する筒状体の両脇に端面側が円弧面形状を為すとともにカム係止部１７，１７と同形状を為す突状から成るカム係止部２２，２２を対向して設けている。カム２０は、コンプレッションスプリング１９とは反対側の面に、開きトルクを発生させる傾斜面から成るカム面２１，２１を対向して設けている。カム面２１，２１は、図１１（ａ）に示すように、例えば、１４５度〜１６０度において摺動ピン２５を滑り込ませる凹部２３，２３が形成されている。そして、凹部２３，２３の端部は、隣のカム面２１，２１へ繋がる垂直な壁面２４，２４が設けてある。
【００１２】
摺動ピン２５は、平行ピンで構成され、カム面２１，２１上を摺動するように、シャフト１１に設けた軸穴１３に取り付けられている。摺動ピン２５は、シャフト１１に組み付けられたケース１５、コンプレッションスプリング１９、カム２０をコンプレッションスプリング１９のバネ力を利用してシャフト１１から分離しないようにする保持具としても機能する。
【００１３】
オープン式ヒンジ１０は、図１１（ａ）および図１２に示すように、表示側筐体３と操作側筐体５とが為す０度の全閉状態ＯＨＣから１６０度の全開状態ＯＨＡに亘って開きトルクを発生させる開きトルク発生ステップ１０Ａと、全開状態ＯＨＡ手前において全開状態ＯＨＡ時のロック力を発生させる全開ロックステップ１０Ｂとを備えている。
【００１４】
開きトルク発生ステップ１０Ａは、シャフト１１、ケース１５、コンプレッションスプリング１９、カム２０および摺動ピン２５で構成され、表示側筐体３の開き時に、コンプレッションスプリング１９の緩み方向への回動に伴うカム面２１，２１を摺動する摺動ピン２５を介して表示側筐体３に開きトルクを与える。全開ロックステップ１０Ｂは、カム面２１，２１に形成された凹部２３，２３および摺動ピン２５で構成され、全開状態ＯＨＡ手前において摺動ピン２５を凹部２３，２３内に嵌入し、全開状態ＯＨＡ時のロック力を発生させる。
【００１５】
プッシュ式ヒンジ３０は、図７〜図１０に示すように、シャフト３１の軸部３１ａ上に、シャフトガイド３４、第一のコンプレッションスプリング３８、２つの突起部４０，４０を有する対向カム３９、２つの突起部４０，４０を当接する摺動面４３，４３を有するカム４２、カムホルダー４６、第二のコンプレッションスプリング５０、２つのカム係止用爪部６２，６２を有する押釦キー６０およびワッシャー６３を順に取り付けるとともに、シャフト３１の端部に抜け止め用のＥ−リング６４を取り付けている。
【００１６】
シャフト３１は、一端に表示側筐体３の連結部３ｂにおいてＥ−リング７を介して固定される環状溝３２を設け、他端にプッシュ式ヒンジ３０を一体化するためのＥ−リング６４を固定する環状溝３３を設けている。
シャフトガイド３４は、表示側筐体３に固定される複数の嵌合溝３５ａを設けたフランジ部３５と、シャフト３１を挿通する軸穴３６と、軸穴３６の外周に設けられ対向カム３９をシャフト方向への移動を許容し、回転方向を規制する対向カム取付部３７とを有する。対向カム取付部３７は、軸穴３６の外周に等間隔で軸方向にキー３７ａを形成することによって構成されている。
【００１７】
対向カム３９は、対向カム取付部３７を覆う軸穴４１を有する。軸穴４１には、対向カム取付部３７に形成されたキー３７ａと係合するキー溝４１ａが等間隔で軸方向に形成されている。
カム４２は、対向カム３９の２つの突起部４０，４０に当接する２分割された摺動面４３，４３と、シャフト３１を挿通する軸穴４４と、この軸穴４４の外周に設けられ押釦キー６０の非押し込み時に押釦キー６０の２つのカム係止用爪部６２，６２を係止し、押釦キー６０の押し込み時に押釦キー６０の２つのカム係止用爪部６２，６２の係止を解除する押釦キー取付部４５とを有する。押釦キー取付部４５は、軸穴４４の外周４４ａの端部に２つの円弧形状の突起４５ａ，４５ａと、２つの突起４５ａ，４５ａ間に設けた押釦キー係止用切り欠き４５ｂ，４５ｂと、軸穴４４の外周４４ａと、摺動面４３，４３の裏面側の環状壁４２ａとで形成されている。摺動面４３，４３には、図１１（ｂ）に示すように、０度から２０度に向かう登り傾斜面４３ａと、２０度から１３０度に向かう下り傾斜面４３ｂと、１３０度から１４５度において形成した山形の突起４３ｃと、１４５度から１６０度に向かう下り傾斜面４３ｄと、１６０度から１８０度に向かう水平面４３ｅとを有する。
【００１８】
カムホルダー４６は、操作部側筐体５に固定される複数の嵌合溝４７ａを設けたフランジ部４７と、シャフト３１を挿通する軸穴４８と、軸穴４８の外周に設けられ押釦キー６０の２つのカム係止用爪部６２，６２を挿通する開口部４９，４９とを有する。
押釦キー６０は、リング部６１の直径方向に２つのカム係止用爪部６２，６２を一体的に設けている。２つのカム係止用爪部６２，６２は、先端部に中心方向に突出する爪６２ａ，６２ａを有する。
【００１９】
プッシュ式ヒンジ３０は、全閉状態ＯＨＣ時にオープン式ヒンジ１０の動きを規制し全閉状態時のロック力を発生させる全閉ロックステップ３０Ａと、押釦キー６０の押し込み操作により全閉ロックステップ３０Ａによる規制を解除しオープン式ヒンジ１０の動きを許容する解除ステップ３０Ｂと、全開状態ＯＨＡに至る前に押釦キー６０を復帰させ押釦キー６０により解除ステップ３０Ｂによる規制解除を解除する規制ステップ３０Ｃと、表示側筐体３の全開状態ＯＨＡから全閉状態ＯＨＣへの戻り時に第一の所定位置ＯＨＢにてクリック止めして表示側筐体３を保持する止めステップ３０Ｄとを備えている。
【００２０】
次に、プッシュ式ヒンジ３０について説明する。
先ず、押釦キー６０を押し込んでいない通常時について説明する。
プッシュ式ヒンジ３０は、図７および図８に示すように、対向カム３９の２つの突起部４０，４０が第一のコンプレッションスプリング３８によってカム４２の摺動面４３，４３に当接している。また、押釦キー６０の２つのカム係止用爪部６２，６２がカムホルダー４６の開口部４９，４９を介してカム４２の押釦キー取付部４５の押釦キー係止用切り欠き４５ｂ，４５ｂを介して２つの円弧状の突起４５ａ，４５ａに係止している。
【００２１】
プッシュ式ヒンジ３０は、図１１（ｂ）および図１２に示すように、開き角度約２０度以下では全閉ロックステップ３０Ａによって閉じトルクを発生し、それ以上の開き角度では解除ステップ３０Ｂによって開きトルクを発生させ、約１３０度でクリックを発生させるために、１３０度〜１４５度間では止めステップ３０Ｄによって閉じトルクを、１４５度〜１６０度（全開状態ＯＨＡ）間では規制ステップ３０Ｃによって開きトルクを発生させる。
【００２２】
次に、押釦キー６０を押し込んだ時の動作について説明する。
第二のコンプレッションスプリング５０に逆らって押釦キー６０を押し込むと、押釦キー６０の２つのカム係止用爪部６２，６２とカム４２の押釦キー取付部４５を介してカムホルダー４６とカム４２が係止されていた状態から解離され、押釦キー６０およびカムホルダー４６に対し自由にカム４２が回転できるようになる。そのため、全閉状態ＯＨＣでは通常時に閉じトルクが発生していた状態から押釦キー６０を押し込むことにより、カム４２の回転が自由になるためトルクの発生が無くなる。
【００２３】
カム４２の押釦キー係止用切り欠き４５ｂ，４５ｂと押釦キー６０のカム係止用爪部６２，６２が１８０度対象に配されているため、押釦キー６０は全閉状態ＯＨＣで押し込み、回転させると、１８０度までは押釦キー６０が押し込まれた状態が保持され、カム４２の自由回転を妨ず、１８０度回転すると係止部が一致して押釦キー６０が押し込まれている状態から復帰し、押釦キー６０を介してカムホルダー４６とカム４２が係止されていた状態に戻る。また、押釦キー６０のカム係止用爪部６２，６２の爪６２ａ，６２ａに面取りが施されているため、１８０度まで回転せずとも、全開状態ＯＨＡ（１６０度）にて第二のコンプレッションスプリング５０の荷重により、面取り部に従ってカムを１８０度の位置まで回転させながら押釦キー６０が復帰する。
【００２４】
次に、本実施形態に係る携帯電話１について説明する。
先ず、押釦キー６０を押し込んでいない時には、図１２において、通常として示すように、プッシュ式ヒンジ３０の通常時のトルクと、オープン式ヒンジ１０のトルクが合わさり、トータルとして、開き角度２０度以下は閉じトルク、２０度〜１３０度間は開きトルク、１３０度〜１４５度は閉じトルク、１４５度〜１６０度は開きトルク（全開時ロック力）が発生する。
【００２５】
そして、押釦キー６０を押し込んでいない、開き角度２０度以下の時には、図１３に示すように、オープン式ヒンジ１０では、摺動ピン２５がカム面２１，２１の初期位置におり、プッシュ式ヒンジ３０では、対向カム４０がカム面４３，４３の登り傾斜面４３ａ，４３ａに位置しており、プッシュ式ヒンジ３０におけるカム４２の押釦キー取付部４５には２つの突起４５ａ，４５ａに押釦キー６０の２つのカム係止用爪部６２，６２が係止されている。
【００２６】
次に、押釦キー６０を押し込むと、図１２において、通常として示すように、プッシュ式ヒンジ３０のトルクが無くなるため、オープン式ヒンジ１０のトルク（開きトルク）のみに従い表示側筐体３は全開状態ＯＨＡまでオープン式ヒンジ１０の発生するトルクにより回転する。
押釦キー６０を押し込んだ直後の状態を図１４に示す。この時点では、プッシュ式ヒンジ３０におけるカム４２の押釦キー取付部４５における２つの突起４５ａ，４５ａから押釦キー６０の２つのカム係止用爪部６２，６２が離脱するが、オープン式ヒンジ１０では、摺動ピン２５がカム面２１，２１の初期位置におり、プッシュ式ヒンジ３０では、対向カム４０がカム面４３，４３の登り傾斜面４３ａ，４３ａに位置している。
【００２７】
次いで、図１５に示すように、対向カム３９がカム４２に対して回動し得る状態となる。
次いで、図１６に示す表示側筐体３の開き角度９０度、図１７に示す表示側筐体３の開き角度１４０度を通過して、図１８に示す表示側筐体３の全開状態ＯＨＡ（１６０度）まで回転する。
【００２８】
次いで、表示側筐体３が全開状態ＯＨＡ（１６０度）まで回転すると、図１３と同様に、プッシュ式ヒンジ３０におけるカム４２の押釦キー取付部４５には２つの突起４５ａ，４５ａに押釦キー６０の２つのカム係止用爪部６２，６２が係止される。
これにより、押釦キー６０が復帰し、プッシュ式ヒンジ３０のカム４２が係止されてカム４２に従ってトルクが発生する。
【００２９】
同時に、オープン式ヒンジ１０の平行ピン２５が凹部２３，２３に填り込み、全開ロックステップ１０Ｂを形成する。
次に、操作者が表示側筐体３を閉じ方向に押すと、図１９に示すように、第一の所定位置ＯＨＢ（１３０度）にてクリックが発生し、第一の所定位置ＯＨＢ（１３０度）にての表示側筐体３のクリック止めが可能となる。
【００３０】
以上のように、本実施形態に係る携帯電話１によれば、不使用時にはプッシュ式ヒンジ３０がオープン式ヒンジ１０の動きを規制して表示側筐体３が全閉状態ＯＨＣに保持され、プッシュ式ヒンジ３０の押釦キー６０が押されると、プッシュ式ヒンジ３０による規制が解除され、オープン式ヒンジ１０により表示側筐体３がコンプレッションスプリング１９の復元力で全開状態ＯＨＡまで開かれる。
【００３１】
そして、全開状態ＯＨＡから表示側筐体３を全閉状態ＯＨＣ方向へ閉じ始めると、表示側筐体３が第一の所定位置ＯＨＢ（１３０度）にてクリック止めされ第一の所定位置ＯＨＢ（１３０度）にて止めることが可能となる。従って、第一の所定位置ＯＨＢ（１３０度）において、携帯電話１を例えばノートパソコンと同様にテーブルなどの上に置いて操作することが可能となる。
【００３２】
また、表示側筐体３を第一の所定位置ＯＨＢ（１３０度）から全閉状態ＯＨＣ方向へ閉じ込むと、開き角度が２０度以下の段階でプッシュ式ヒンジ３０による閉じトルクが作用して表示側筐体３０を操作側筐体５上に重ね合わせ、全閉状態ＯＨＣを形成することができる。
【００３３】
【発明の効果】
本発明では、プッシュ式ヒンジの機能を左右のヒンジに振り分けることにより、ダミーヒンジのスペースを有効利用することが可能となり、ヒンジの全長を短縮することが可能となる。
本発明では、プッシュ式ヒンジのカム部にクリックトルクを発生させる形状を設けたので、プッシュ時は全開まで一気に開き、全開状態から戻る閉じる行程にのみ、クリック発生の設定が可能となる。
【００３４】
本発明では、オープン式ヒンジのカムの相手部材として、平行ピンを使用することにより、相手部品の硬度・表面粗さの向上が可能となり、動作が滑らかで、かつ摩擦を低減することが可能となる。
また、従来ではカムの相手部材とは別に部品（Ｅリング等）を設けていたが、平行ピンを組込みの位置決め部品としても使用できるので、これらの部品が不要となり、部品点数削減、組立て工数低減により、コスト削減が可能となる。
【図面の簡単な説明】
【図１】本発明の一実施形態に係る携帯電話の側面図である。
【図２】本発明の一実施形態に係る携帯電話の平面図である。
【図３】本発明の一実施形態に係る携帯電話におけるオープン式ヒンジの斜視図である。
【図４】（ａ）本発明の一実施形態に係る携帯電話におけるオープン式ヒンジの上面図である。
（ｂ）本発明の一実施形態に係る携帯電話におけるオープン式ヒンジの正面図である。
（ｃ）本発明の一実施形態に係る携帯電話におけるオープン式ヒンジの左側面図である。
（ｄ）本発明の一実施形態に係る携帯電話におけるオープン式ヒンジの右側面図である。
【図５】本発明の一実施形態に係る携帯電話におけるオープン式ヒンジの分解図（右上面図）である。
【図６】本発明の一実施形態に係る携帯電話におけるオープン式ヒンジの分解図（左上面図）である。
【図７】（ａ）本発明の一実施形態に係る携帯電話におけるプッシュ式ヒンジの上面図である（ただし、第一、第二のコンプレッションスプリングを省略している）。
（ｂ）本発明の一実施形態に係る携帯電話におけるプッシュ式ヒンジの正面図である（ただし、第一、第二のコンプレッションスプリングを省略している）。
（ｃ）本発明の一実施形態に係る携帯電話におけるプッシュ式ヒンジの左側面図である。
（ｄ）本発明の一実施形態に係る携帯電話におけるプッシュ式ヒンジの右側面図である。
【図８】（ａ）本発明の一実施形態に係る携帯電話におけるプッシュ式ヒンジのカムホルダーを切り欠いた正面図である（ただし、第一、第二のコンプレッションスプリングを省略している）。
（ｂ）本発明の一実施形態に係る携帯電話におけるプッシュ式ヒンジのカムホルダーを切り欠いた左面図である（ただし、第一、第二のコンプレッションスプリングを省略している）。
（ｃ）本発明の一実施形態に係る携帯電話におけるプッシュ式ヒンジのカムホルダーを切り欠いた右面図である（ただし、第一、第二のコンプレッションスプリングを省略している）。
【図９】本発明の一実施形態に係る携帯電話におけるプッシュ式ヒンジの分解図（右上面図）である。
【図１０】本発明の一実施形態に係る携帯電話におけるプッシュ式ヒンジの分解図（左上面図）である。
【図１１】（ａ）本発明の一実施形態に係る携帯電話におけるオープン式ヒンジのカム形状特性図である。
（ｂ）本発明の一実施形態に係る携帯電話におけるプッシュ式ヒンジのカム形状特性図である。
【図１２】本発明の一実施形態に係る携帯電話におけるヒンジのトルク特性図である。
【図１３】本発明の一実施形態に係る携帯電話における押釦非押し込み時の状態を示す説明図である。
【図１４】本発明の一実施形態に係る携帯電話における押釦押し込み時の状態を示す説明図である。
【図１５】本発明の一実施形態に係る携帯電話における押釦押し込み時の状態を示す説明図である。
【図１６】本発明の一実施形態に係る携帯電話における押釦押し込み時（開き角度９０度）の状態を示す説明図である。
【図１７】本発明の一実施形態に係る携帯電話における押釦押し込み時（開き角度１４０度）の状態を示す説明図である。
【図１８】本発明の一実施形態に係る携帯電話における押釦非押し込み時（開き角度１６０度）の状態を示す説明図である。
【図１９】本発明の一実施形態に係る携帯電話における押釦非押し込み時（開き角度１３０度）の状態を示す説明図である。
【符号の説明】
１　携帯電話
３　表示側筐体
５　操作側筐体
１０　オープン式ヒンジ
１０Ａ　開きトルク発生ステップ
１０Ｂ　ロックステップ
１１，３１　シャフト
１１ａ，３１ａ　軸部
１２ａ，１５ａ，３５ａ，４７ａ　嵌合溝
１３，３６，４１，４４，４８　軸穴
１５　ケース
１６　穴部
１７　カム係止部
１８　切り欠き部
１９　コンプレッションスプリング
２０，４２　カム
２０ａ　穴部
２１，４３　摺動面
２２　カム係止部
２３　凹部
２４　壁面
２５　摺動ピン
３０　プッシュ式ヒンジ
３０Ａ　全閉ロックステップ
３０Ｂ　解除ステップ
３０Ｃ　規制ステップ
３０Ｄ　止めステップ
３４　シャフトガイド
３５　フランジ部
３７　対向カム取付部
３７ａ　キー
３８　第一のコンプレッションスプリング
３９　対向カム
４０　突起部
４１ａ　キー溝
４３ａ　傾斜面
４３ｂ　下り傾斜面
４３ｃ　山形の突起
４３ｄ　下り傾斜面
４３ｅ　水平面
４５　押釦キー取付部
４５ｂ　押釦キー係止用切り欠き
４６　カムホルダー
４９　開口部
５０　第二のコンプレッションスプリング
６０　押釦キー
６１　リング部
６２　カム係止用爪部
６３　ワッシャー
６４　Ｅ−リング
ＯＨＡ　全開状態
ＯＨＢ　第一の所定位置
ＯＨＣ　全閉状態
【図１】
2004019795.tif 000003
【図２】
2004019795.tif 000004
【図３】
2004019795.tif 000005
【図４】
2004019795.tif 000006
【図５】
2004019795.tif 000007
【図６】
2004019795.tif 000008
【図７】
2004019795.tif 000009
【図８】
2004019795.tif 000010
【図９】
2004019795.tif 000011
【図１０】
2004019795.tif 000012
【図１１】
2004019795.tif 000013
【図１２】
2004019795.tif 000014
【図１３】
2004019795.tif 000015
【図１４】
2004019795.tif 000016
【図１５】
2004019795.tif 000017
【図１６】
2004019795.tif 000018
【図１７】
2004019795.tif 000019
【図１８】
2004019795.tif 000020
【図１９】
2004019795.tif 000021